(57)【特許請求の範囲】
【請求項１】
無線通信システムにおいて端末が基地局からダウンリンクデータチャネルを受信する方法であって、
複数のシンボルを含むサブフレームにおける第１のダウンリンクデータチャネルおよび第２のダウンリンクデータチャネルを受信すること
を含み、
前記サブフレームにおける前記第１のダウンリンクデータチャネルの第１の開始シンボルは、物理制御フォーマット指示子チャネルを介して伝送される値によって指示され、
前記サブフレームにおける前記第２のダウンリンクデータチャネルの第２の開始シンボルは、ＲＲＣ（Ｒａｄｉｏ  Ｒｅｓｏｕｒｃｅ  Ｃｏｎｔｒｏｌ）シグナリングによって指示されている、方法。
【請求項２】
前記第１のダウンリンクデータチャネルは、第１のダウンリンク制御チャネルによってスケジューリングされ、前記第２のダウンリンクデータチャネルは、第２のダウンリンク制御チャネルによってスケジューリングされている、請求項１に記載の方法。
【請求項３】
前記第２のダウンリンク制御チャネルの第２の開始シンボルは、前記第２のダウンリンクデータチャネルの前記開始シンボルと同一である、請求項２に記載の方法。
【請求項４】
前記制御フォーマット指示子チャネルを介して伝送される前記値は、前記第１のダウンリンク制御チャネルのためのシンボルの数を指示する、請求項２に記載の方法。
【請求項５】
前記第２の開始シンボルのインデックスは、前記第１の開始シンボルのインデックスよりも小さいか、または前記第１の開始シンボルのインデックスに等しい、請求項１に記載の方法。
【請求項６】
前記第２の開始シンボルの前記インデックスが、前記第１の開始シンボルの前記インデックスよりも小さい場合に、前記第１の開始シンボルから前記サブフレームの終了シンボルまで前記第２のダウンリンクデータチャネルをデコーディングし、それから、前記第２の開始シンボルから前記第１の開始シンボルまで前記第２のダウンリンクデータチャネルをデコーディングすることをさらに含む、請求項５に記載の方法。
【請求項７】
前記第２の開始シンボルの前記インデックスが、前記第１の開始シンボルの前記インデックスよりも小さい場合に、前記第２の開始シンボルから前記サブフレームの終了シンボルまで前記第２のダウンリンクデータチャネルをデコーディングすることをさらに含む、請求項５に記載の方法。
【請求項８】
無線通信システムにおいて基地局が端末にダウンリンクデータチャネルを送信する方法であって、
複数のシンボルを含むサブフレームにおける第１のダウンリンクデータチャネルおよび第２のダウンリンクデータチャネルを送信すること
を含み、
前記サブフレームにおける前記第１のダウンリンクデータチャネルの第１の開始シンボルは、物理制御フォーマット指示子チャネルを介して伝送される値によって指示され、
前記サブフレームにおける前記第２のダウンリンクデータチャネルの第２の開始シンボルは、ＲＲＣ（Ｒａｄｉｏ  Ｒｅｓｏｕｒｃｅ  Ｃｏｎｔｒｏｌ）シグナリングによって指示されている、方法。
【請求項９】
前記第１のダウンリンクデータチャネルは、第１のダウンリンク制御チャネルによってスケジューリングされ、前記第２のダウンリンクデータチャネルは、第２のダウンリンク制御チャネルによってスケジューリングされている、請求項８に記載の方法。
【請求項１０】
前記第２のダウンリンク制御チャネルの第２の開始シンボルは、前記第２のダウンリンクデータチャネルの前記開始シンボルと同一である、請求項９に記載の方法。
【請求項１１】
前記制御フォーマット指示子チャネルを介して伝送される前記値は、前記第１のダウンリンク制御チャネルのためのシンボルの数を指示する、請求項９に記載の方法。
【請求項１２】
前記第２の開始シンボルのインデックスは、前記第１の開始シンボルのインデックスよりも小さいか、または前記第１の開始シンボルのインデックスに等しい、請求項８に記載の方法。
【請求項１３】
前記第２の開始シンボルの前記インデックスが、前記第１の開始シンボルの前記インデックスよりも小さい場合に、前記第１の開始シンボルから前記サブフレームの終了シンボルまで前記第２のダウンリンクデータチャネルをマッピングし、それから、前記第２の開始シンボルから前記第１の開始シンボルまで前記第２のダウンリンクデータチャネルをマッピングすることをさらに含む、請求項１２に記載の方法。
【請求項１４】
前記第２の開始シンボルの前記インデックスが、前記第１の開始シンボルの前記インデックスよりも小さい場合に、前記第２の開始シンボルから前記サブフレームの終了シンボルまで前記第２のダウンリンクデータチャネルをマッピングすることをさらに含む、請求項１２に記載の方法。
【発明の詳細な説明】
【技術分野】
【０００１】
本発明は、無線通信システムに係り、特に、多重分散ノードシステムにおいてノードのデータ領域に存在する新しい制御チャネルの周波数リソース割当方法及びそのための装置に関する。
【背景技術】
【０００２】
現在の無線通信環境は、機器間通信（Ｍａｃｈｉｎｅ−ｔｏ−Ｍａｃｈｉｎｅ：Ｍ２Ｍ）通信が適用されるＭ２Ｍ機器、高いデータ伝送量を要求するスマートフォン及びタブレットコンピュータなどの様々なデバイスの出現と普及に伴い、無線通信システム内のネットワークに対するデータ要求量も急増している。このように急増するデータ要求量を満たすために、通信技術は、より広い周波数帯域を效率よく使用するためのキャリアアグリゲーション（ｃａｒｒｉｅｒ  ａｇｇｒｅｇａｔｉｏｎ）技術及び無線認識（ｃｏｇｎｉｔｉｖｅ  ｒａｄｉｏ）技術など、及び限定された周波数内でデータ容量を高めるための多重アンテナ技術及び多重基地局協調技術などに発展しており、無線通信環境は、ユーザーの周辺にアクセスできるノード（ｎｏｄｅ）の密度が高まる方向に進展している。このような高い密度のノードを備えたシステムは、ノード同士の協調により一層高いシステム性能を呈することができる。このような方式は、各ノードが基地局（例えば、Ｂａｓｅ  ｓｔａｔｉｏｎ、Ａｄｖａｎｃｅｄ  ＢＳ、Ｎｏｄｅ−Ｂ、ｅＮｏｄｅ−Ｂ）、アクセスポイント（ＡＰ）、アンテナ、アンテナグループ、無線リモートヘッド（ｒａｄｉｏ  ｒｅｍｏｔｅ  ｈｅａｄｅｒ；ＲＲＨ）、無線リモートユニット（ｒａｄｉｏ  ｒｅｍｏｔｅ  ｕｎｉｔ；ＲＲＵ）として動作する、複数のノードを用いて協調通信を行う。
【０００３】
さらに、全てのノードが一つのコントローラ（ｃｏｎｔｒｏｌｌｅｒ）により送受信が管理され、個別ノードが一つの基地局の一部アンテナ集団のように動作するとすれば、このシステムは、一つのＤＭＮＳ（ｄｉｓｔｒｉｂｕｔｅｄ  ｍｕｌｔｉ  ｎｏｄｅ  ｓｙｓｔｅｍ）と見なせばよい。このとき、個別ノードは個別のＮｏｄｅ  ＩＤが与えられてもよく、個別のＮｏｄｅ  ＩＤ無しでセル内の一部アンテナのように動作してもよい。
【０００４】
一方、ＤＭＮＳにおいてノードがそれぞれ異なるセルＩＤを有するとすれば、これは多重セル（例えば、マクロセル／フェムトセル／ピコセル）システムと見なせばよい。複数のノードのそれぞれが形成した多重セルがカバレッジによってオーバーレイする形態で構成されるとすれば、これは多重階層（ｍｕｌｔｉ−ｔｉｅｒ）ネットワークと命名する。
【０００５】
一方、様々な形態の基地局がその名称にかかわることなくノードとして用いられてもよい。すなわち、ＢＳ（Ｂａｓｅ  Ｓｔａｔｉｏｎ）、ＮＢ（Ｎｏｄｅ−Ｂ）、ｅＮＢ（ｅＮｏｄｅ−Ｂ）、ピコ−セルｅＮＢ（ＰｅＮＢ）、ホームｅＮＢ（ＨｅＮＢ）、ＲＲＨ、ＲＲＵ、リレー、リピーターなどがノードになってもよい。一つのノードには少なくとも一つのアンテナが設けられる。アンテナは物理アンテナを意味することもあり、アンテナポート、仮想アンテナ、又はアンテナグループを意味することもある。また、ノードは、ポイント（ｐｏｉｎｔ）と呼ばれることもある。
【０００６】
ノードは、通常、一定間隔以上に離れたアンテナグループを意味するが、間隔にかかわらず、任意のアンテナグループを意味する場合もある。例えば、基地局がＨ−ｐｏｌアンテナで構成されたノードとＶ−ｐｏｌアンテナで構成されたノードを制御すると定義できる。本明細書で記述するアンテナは、物理的なアンテナを指すだけでなく、アンテナポート、仮想（ｖｉｒｔｕａｌ）アンテナ、アンテナグループなどに取り替わってもよい。
【発明の概要】
【発明が解決しようとする課題】
【０００７】
本発明の目的は、無線通信システムにおいて物理チャネルのためのリソースを效率よく割り当てる方法及びそのための装置を提供することにある。本発明の他の目的は、制御情報を效率よく伝送するためのチャネルフォーマット、信号処理、及びそのための装置を提供することにある。本発明のさらに他の目的は、制御情報を伝送するためのリソースを效率よく割り当てる方法及びそのための装置を提供することにある。
【０００８】
本発明で達成しようとする技術的課題は、上記の技術的課題に制限されず、言及していない他の技術的課題は、下の記載から、本発明の属する技術の分野における通常の知識を有する者には明確に理解されるであろう。
【課題を解決するための手段】
【０００９】
本発明の一態様として、無線通信システムにおいて端末がＰＤＣＣＨ（Ｐｈｙｓｉｃａｌ  Ｄｏｗｎｌｉｎｋ  Ｃｏｎｔｒｏｌ  Ｃｈａｎｎｅｌ）領域とＰＤＳＣＨ（Ｐｈｙｓｉｃａｌ  Ｄｏｗｎｌｉｎｋ  Ｓｈａｒｅｄ  Ｃｈａｎｎｅｌ）領域とに区別される下りリンクサブフレームで制御情報を受信する方法であって、ＰＤＣＣＨ伝送に利用可能なＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの個数を指示する第１のＣＦＩ情報を基地局から受信することと、
Ｅ−ＰＤＣＣＨ（ｅｎｈａｎｃｅｄ  Ｐｈｙｓｉｃａｌ  Ｄａｔａ  Ｃｏｎｔｒｏｌ  Ｃｈａｎｎｅｌ）に対応するＰＤＳＣＨ伝送に利用可能な開始ＯＦＤＭシンボル情報を指示する第２のＣＦＩ情報を前記基地局から受信することと、前記第１のＣＦＩ情報又は前記第２のＣＦＩ情報に基づいてＰＤＳＣＨを前記基地局から受信することと、を含み、前記ＰＤＣＣＨは前記下りリンクサブフレームのＰＤＣＣＨ領域に位置し、前記Ｅ−ＰＤＣＣＨは前記下りリンクサブフレームのＰＤＳＣＨ領域に位置する、制御情報受信方法が提供される。
【００１０】
本発明の他の態様として、無線通信システムにおいて基地局がＰＤＣＣＨ（Ｐｈｙｓｉｃａｌ  Ｄｏｗｎｌｉｎｋ  Ｃｏｎｔｒｏｌ  Ｃｈａｎｎｅｌ）領域とＰＤＳＣＨ（Ｐｈｙｓｉｃａｌ  Ｄｏｗｎｌｉｎｋ  Ｓｈａｒｅｄ  Ｃｈａｎｎｅｌ）領域とに区別される下りリンクサブフレームで制御情報を送信する方法であって、ＰＤＣＣＨ（Ｐｈｙｓｉｃａｌ  Ｄｏｗｎｌｉｎｋ  Ｃｏｎｔｒｏｌ  Ｃｈａｎｎｅｌ）伝送に利用可能なＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの個数を指示する第１のＣＦＩ情報を端末に送信することと、Ｅ−ＰＤＣＣＨ（ｅｎｈａｎｃｅｄ  Ｐｈｙｓｉｃａｌ  Ｄａｔａ  Ｃｏｎｔｒｏｌ  Ｃｈａｎｎｅｌ）に対応するＰＤＳＣＨ伝送に利用可能な開始ＯＦＤＭシンボル情報を指示する第２のＣＦＩ情報を前記端末に送信することと、前記第１のＣＦＩ情報及び前記第２のＣＦＩ情報を用いて、ＰＤＳＣＨを前記端末に送信することと、を含み、前記ＰＤＣＣＨは前記下りリンクサブフレームのＰＤＣＣＨ領域に位置し、前記Ｅ−ＰＤＣＣＨは前記下りリンクサブフレームのＰＤＳＣＨ領域に位置する、制御情報送信方法が提供される。
【００１１】
本発明の他の態様として、無線通信システムにおいてＰＤＣＣＨ（Ｐｈｙｓｉｃａｌ  Ｄｏｗｎｌｉｎｋ  Ｃｏｎｔｒｏｌ  Ｃｈａｎｎｅｌ）領域とＰＤＳＣＨ（Ｐｈｙｓｉｃａｌ  Ｄｏｗｎｌｉｎｋ  Ｓｈａｒｅｄ  Ｃｈａｎｎｅｌ）領域とに区別される下りリンクサブフレームで制御情報を受信するように構成された端末であって、無線周波数（Ｒａｄｉｏ  Ｆｒｅｑｕｅｎｃｙ、ＲＦ）ユニットと、プロセッサと、を備え、前記プロセッサは、ＰＤＣＣＨ伝送に利用可能なＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの個数を指示する第１のＣＦＩ情報を基地局から受信するように前記無線周波数ユニットを制御し、Ｅ−ＰＤＣＣＨ（ｅｎｈａｎｃｅｄ  Ｐｈｙｓｉｃａｌ  Ｄａｔａ  Ｃｏｎｔｒｏｌ  Ｃｈａｎｎｅｌ）に対応するＰＤＳＣＨ伝送に利用可能な開始ＯＦＤＭシンボル情報を指示する第２のＣＦＩ情報を前記基地局から受信するように前記無線周波数ユニットを制御し、前記第１のＣＦＩ情報又は前記第２のＣＦＩ情報に基づいてＰＤＳＣＨを前記基地局から受信するように前記無線周波数ユニットを制御するように構成され、前記ＰＤＣＣＨは前記下りリンクサブフレームのＰＤＣＣＨ領域に位置し、前記Ｅ−ＰＤＣＣＨは前記下りリンクサブフレームのＰＤＳＣＨ領域に位置する、端末が提供される。
【００１２】
本発明の他の態様として、無線通信システムにおいてＰＤＣＣＨ（Ｐｈｙｓｉｃａｌ  Ｄｏｗｎｌｉｎｋ  Ｃｏｎｔｒｏｌ  Ｃｈａｎｎｅｌ）領域とＰＤＳＣＨ（Ｐｈｙｓｉｃａｌ  Ｄｏｗｎｌｉｎｋ  Ｓｈａｒｅｄ  Ｃｈａｎｎｅｌ）領域とに区別される下りリンクサブフレームで制御情報を送信するように構成された基地局であって、無線周波数（Ｒａｄｉｏ  Ｆｒｅｑｕｅｎｃｙ、ＲＦ）ユニットと、プロセッサと、を備え、前記プロセッサは、ＰＤＣＣＨ伝送に利用可能なＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの個数を指示する第１のＣＦＩ情報を端末に送信するように前記無線周波数ユニットを制御し、Ｅ−ＰＤＣＣＨ（ｅｎｈａｎｃｅｄ  Ｐｈｙｓｉｃａｌ  Ｄａｔａ  Ｃｏｎｔｒｏｌ  Ｃｈａｎｎｅｌ）に対応するＰＤＳＣＨ伝送に利用可能な開始ＯＦＤＭシンボル情報を指示する第２のＣＦＩ情報を前記端末に送信するように前記無線周波数ユニットを制御し、前記第１のＣＦＩ情報及び前記第２のＣＦＩ情報を用いて、ＰＤＳＣＨを前記端末に送信するように前記無線周波数ユニットを制御するように構成され、前記ＰＤＣＣＨは前記下りリンクサブフレームのＰＤＣＣＨ領域に位置し、前記Ｅ−ＰＤＣＣＨは前記下りリンクサブフレームのＰＤＳＣＨ領域に位置する、基地局が提供される。
【００１３】
好適には、前記第１のＣＦＩ情報はＲＲＣ（Ｒａｄｉｏ  Ｒｅｓｏｕｒｃｅ  Ｃｏｎｔｒｏｌ）シグナリングにより前記基地局から受信され、前記第２のＣＦＩ情報はＲＲＣシグナリングにより又は前記Ｅ−ＰＤＣＣＨに含まれて前記基地局から受信される。
【００１４】
好適には、休止状態の端末のための制御チャネルが伝送されるサブフレームである場合、前記第１のＣＦＩ情報のみに基づいてＰＤＳＣＨを前記基地局から受信する。
【発明の効果】
【００１５】
本発明の実施例によれば、無線通信システム、好適には多重分散ノードシステムで物理チャネルのためのリソースを效率よく割り当てることができる。
【００１６】
本発明で得られる効果は、以上に言及した効果に制限されず、言及していない別の効果は、下の記載から、本発明の属する技術の分野における通常の知識を有する者には明確に理解されるであろう。
本発明はさらに、たとえば、以下を提供する。
（項目１）
無線通信システムにおいて端末がＰＤＣＣＨ（Ｐｈｙｓｉｃａｌ  Ｄｏｗｎｌｉｎｋ  Ｃｏｎｔｒｏｌ  Ｃｈａｎｎｅｌ）領域とＰＤＳＣＨ（Ｐｈｙｓｉｃａｌ  Ｄｏｗｎｌｉｎｋ  Ｓｈａｒｅｄ  Ｃｈａｎｎｅｌ）領域とに区別される下りリンクサブフレームで制御情報を受信する方法であって、
ＰＤＣＣＨ伝送に利用可能なＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの個数を指示する第１のＣＦＩ情報を基地局から受信することと、
Ｅ−ＰＤＣＣＨ（ｅｎｈａｎｃｅｄ  Ｐｈｙｓｉｃａｌ  Ｄａｔａ  Ｃｏｎｔｒｏｌ  Ｃｈａｎｎｅｌ）に対応するＰＤＳＣＨ伝送に利用可能な開始ＯＦＤＭシンボル情報を指示する第２のＣＦＩ情報を前記基地局から受信することと、
前記第１のＣＦＩ情報又は前記第２のＣＦＩ情報に基づいてＰＤＳＣＨを前記基地局から受信することと、
を含み、
前記ＰＤＣＣＨは前記下りリンクサブフレームのＰＤＣＣＨ領域に位置し、前記Ｅ−ＰＤＣＣＨは前記下りリンクサブフレームのＰＤＳＣＨ領域に位置する、制御情報受信方法。
（項目２）
前記第１のＣＦＩ情報はＲＲＣ（Ｒａｄｉｏ  Ｒｅｓｏｕｒｃｅ  Ｃｏｎｔｒｏｌ）シグナリングにより前記基地局から受信され、前記第２のＣＦＩ情報はＲＲＣシグナリングにより又は前記Ｅ−ＰＤＣＣＨに含まれて前記基地局から受信される、項目１に記載の制御情報受信方法。
（項目３）
休止状態の端末のための制御チャネルが伝送されるサブフレームである場合、前記第１のＣＦＩ情報のみに基づいてＰＤＳＣＨを前記基地局から受信する、項目１に記載の制御情報受信方法。
（項目４）
無線通信システムにおいて基地局がＰＤＣＣＨ（Ｐｈｙｓｉｃａｌ  Ｄｏｗｎｌｉｎｋ  Ｃｏｎｔｒｏｌ  Ｃｈａｎｎｅｌ）領域とＰＤＳＣＨ（Ｐｈｙｓｉｃａｌ  Ｄｏｗｎｌｉｎｋ  Ｓｈａｒｅｄ  Ｃｈａｎｎｅｌ）領域とに区別される下りリンクサブフレームで制御情報を送信する方法であって、
ＰＤＣＣＨ（Ｐｈｙｓｉｃａｌ  Ｄｏｗｎｌｉｎｋ  Ｃｏｎｔｒｏｌ  Ｃｈａｎｎｅｌ）伝送に利用可能なＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの個数を指示する第１のＣＦＩ情報を端末に送信することと、
Ｅ−ＰＤＣＣＨ（ｅｎｈａｎｃｅｄ  Ｐｈｙｓｉｃａｌ  Ｄａｔａ  Ｃｏｎｔｒｏｌ  Ｃｈａｎｎｅｌ）に対応するＰＤＳＣＨ伝送に利用可能な開始ＯＦＤＭシンボル情報を指示する第２のＣＦＩ情報を前記端末に送信することと、
前記第１のＣＦＩ情報及び前記第２のＣＦＩ情報を用いて、ＰＤＳＣＨを前記端末に送信することと、
を含み、
前記ＰＤＣＣＨは前記下りリンクサブフレームのＰＤＣＣＨ領域に位置し、前記Ｅ−ＰＤＣＣＨは前記下りリンクサブフレームのＰＤＳＣＨ領域に位置する、制御情報送信方法。
（項目５）
前記第１のＣＦＩ情報はＲＲＣ（Ｒａｄｉｏ  Ｒｅｓｏｕｒｃｅ  Ｃｏｎｔｒｏｌ）シグナリングにより前記端末に送信され、前記第２のＣＦＩ情報はＲＲＣシグナリングにより又は前記Ｅ−ＰＤＣＣＨに含まれて前記端末に送信される、項目４に記載の制御情報送信方法。
（項目６）
休止状態の端末のための制御チャネルが伝送されるサブフレームである場合、前記第１のＣＦＩ情報のみに基づいてＰＤＳＣＨを前記端末に伝送する、項目４に記載の制御情報送信方法。
（項目７）
無線通信システムにおいてＰＤＣＣＨ（Ｐｈｙｓｉｃａｌ  Ｄｏｗｎｌｉｎｋ  Ｃｏｎｔｒｏｌ  Ｃｈａｎｎｅｌ）領域とＰＤＳＣＨ（Ｐｈｙｓｉｃａｌ  Ｄｏｗｎｌｉｎｋ  Ｓｈａｒｅｄ  Ｃｈａｎｎｅｌ）領域とに区別される下りリンクサブフレームで制御情報を受信するように構成された端末であって、
無線周波数（Ｒａｄｉｏ  Ｆｒｅｑｕｅｎｃｙ、ＲＦ）ユニットと、
プロセッサと、を備え、
前記プロセッサは、
ＰＤＣＣＨ伝送に利用可能なＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの個数を指示する第１のＣＦＩ情報を基地局から受信するように前記無線周波数ユニットを制御し、
Ｅ−ＰＤＣＣＨ（ｅｎｈａｎｃｅｄ  Ｐｈｙｓｉｃａｌ  Ｄａｔａ  Ｃｏｎｔｒｏｌ  Ｃｈａｎｎｅｌ）に対応するＰＤＳＣＨ伝送に利用可能な開始ＯＦＤＭシンボル情報を指示する第２のＣＦＩ情報を前記基地局から受信するように前記無線周波数ユニットを制御し、
前記第１のＣＦＩ情報又は前記第２のＣＦＩ情報に基づいてＰＤＳＣＨを前記基地局から受信するように前記無線周波数ユニットを制御するように構成され、
前記ＰＤＣＣＨは前記下りリンクサブフレームのＰＤＣＣＨ領域に位置し、前記Ｅ−ＰＤＣＣＨは前記下りリンクサブフレームのＰＤＳＣＨ領域に位置する、端末。
（項目８）
前記プロセッサは、前記第１のＣＦＩ情報はＲＲＣ（Ｒａｄｉｏ  Ｒｅｓｏｕｒｃｅ  Ｃｏｎｔｒｏｌ）シグナリングにより前記基地局から受信するように前記無線周波数ユニットを制御し、前記第２のＣＦＩ情報はＲＲＣシグナリングにより又は前記Ｅ−ＰＤＣＣＨに含まれて前記基地局から受信するように前記無線周波数ユニットを制御するように構成された、項目７に記載の端末。
（項目９）
前記プロセッサは、休止状態の端末のための制御チャネルが伝送されるサブフレームである場合、前記第１のＣＦＩ情報のみに基づいてＰＤＳＣＨを前記基地局から受信するように前記無線周波数ユニットを制御するように構成された、項目７に記載の端末。
（項目１０）
無線通信システムにおいてＰＤＣＣＨ（Ｐｈｙｓｉｃａｌ  Ｄｏｗｎｌｉｎｋ  Ｃｏｎｔｒｏｌ  Ｃｈａｎｎｅｌ）領域とＰＤＳＣＨ（Ｐｈｙｓｉｃａｌ  Ｄｏｗｎｌｉｎｋ  Ｓｈａｒｅｄ  Ｃｈａｎｎｅｌ）領域とに区別される下りリンクサブフレームで制御情報を送信するように構成された基地局であって、
無線周波数（Ｒａｄｉｏ  Ｆｒｅｑｕｅｎｃｙ、ＲＦ）ユニットと、
プロセッサと、を備え、
前記プロセッサは、
ＰＤＣＣＨ伝送に利用可能なＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの個数を指示する第１のＣＦＩ情報を端末に送信するように前記無線周波数ユニットを制御し、
Ｅ−ＰＤＣＣＨ（ｅｎｈａｎｃｅｄ  Ｐｈｙｓｉｃａｌ  Ｄａｔａ  Ｃｏｎｔｒｏｌ  Ｃｈａｎｎｅｌ）に対応するＰＤＳＣＨ伝送に利用可能な開始ＯＦＤＭシンボル情報を指示する第２のＣＦＩ情報を前記端末に送信するように前記無線周波数ユニットを制御し、
前記第１のＣＦＩ情報及び前記第２のＣＦＩ情報を用いて、ＰＤＳＣＨを前記端末に送信するように前記無線周波数ユニットを制御するように構成され、
前記ＰＤＣＣＨは前記下りリンクサブフレームのＰＤＣＣＨ領域に位置し、前記Ｅ−ＰＤＣＣＨは前記下りリンクサブフレームのＰＤＳＣＨ領域に位置する、基地局。
（項目１１）
前記プロセッサは、前記第１のＣＦＩ情報がＲＲＣ（Ｒａｄｉｏ  Ｒｅｓｏｕｒｃｅ  Ｃｏｎｔｒｏｌ）シグナリングにより前記端末に伝送されるように前記無線周波数ユニットを制御し、前記第２のＣＦＩ情報がＲＲＣシグナリングにより又は前記Ｅ−ＰＤＣＣＨに含まれて前記端末に伝送されるように前記無線周波数ユニットを制御するように構成された、項目１０に記載の基地局。
（項目１２）
前記プロセッサは、休止状態の端末のための制御チャネルが伝送されるサブフレームである場合、前記第１のＣＦＩ情報のみに基づいてＰＤＳＣＨを前記端末に伝送するように前記無線周波数ユニットを制御するように構成された、項目１０に記載の基地局。
【図面の簡単な説明】
【００１７】
本発明に関する理解を助けるために詳細な説明の一部として含まれる添付図面は、本発明の実施例を提供し、詳細な説明と共に本発明の技術的思想を説明する。
【図１】本発明が適用されるＤＡＳ構成の例を示す図である。
【図２】３ＧＰＰ  ＬＴＥ／ＬＴＥ−ＡでＰＤＣＣＨが伝送され得る制御領域の例を示す図である。
【図３】３ＧＰＰシステムで用いられる上りリンクサブフレームの構造を例示する図である。
【図４】下りリンクサブフレームに割り当てられる制御チャネルを示す図である。
【図５】セルＩＤによるＰＣＦＩＣＨのリソースマッピング関係を例示する図である。
【図６】ｅ−ＰＤＣＣＨを用いたリソース割当の一例を示す図である。
【図７】リレーのためのＲ−ＰＤＣＣＨの割当構造を示す図である。
【図８】本発明のＣＦＩとＣＦＩ２設定によるＰＤＣＣＨ一部領域内でのＰＤＳＣＨ伝送の実施例を示す図である。
【図９】本発明に係るＰＤＳＣＨのＲＥマッピング（ｍａｐｐｉｎｇ）の一実施例を示す図である。
【図１０】本発明に係るＰＤＳＣＨのＲＥマッピング（ｍａｐｐｉｎｇ）の一実施例を示す図である。
【図１１】本発明に適用可能な基地局及び端末を例示する図である。
【発明を実施するための形態】
【００１８】
以下、本発明に係る好適な実施形態を、添付の図面を参照して詳細に説明する。添付の図面と共に以下に開示される詳細な説明は、本発明の例示的な実施形態を説明するためのもので、本発明が実施され得る唯一の実施形態を示すものではない。以下の詳細な説明は、本発明の完全な理解を提供するために具体的な細部事項を含む。しかし、当業者には理解されるように、本発明はこのような具体的な細部事項なしにも実施可能である。例えば、以下の詳細な説明は、移動通信システムが３ＧＰＰ  ＬＴＥシステム又はＩＥＥＥ  ８０２．１６ｍシステムである場合を取り上げて説明するが、３ＧＰＰ  ＬＴＥ又はＩＥＥＥ  ８０２．１６ｍ特有の事項を除けば、他の任意の移動通信システムにも適用可能である。
【００１９】
場合によって、本発明の概念が曖昧になることを避けるために、公知の構造及び装置が省略されることもあり、各構造及び装置の核心機能を中心にしたブロック図の形式で示されることもある。また、本明細書全体を通じて同一の構成要素については同一の図面符号を付して説明する。
【００２０】
本発明を適用可能な無線通信システムは、少なくとも一つの基地局（Ｂａｓｅ  Ｓｔａｔｉｏｎ、ＢＳ）を含む。各基地局は、特定の地理的領域（一般に「セル」という）に位置している端末（Ｕｓｅｒ  Ｅｑｕｉｐｍｅｎｔ、ＵＥ）に通信サービスを提供する。端末は、固定しているものでも、移動性を有するものでもよく、基地局と通信してユーザーデータ及び／又は各種の制御情報を送受信する各種機器を含む。端末は、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ばれることもある。基地局は、一般に、端末及び／又は他の基地局と通信する固定した地点（ｆｉｘｅｄ  ｓｔａｔｉｏｎ）のことを指し、端末及び他の基地局と通信して各種データ及び制御情報を交換する。基地局は、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）、プロセシングサーバー（ｐｒｏｃｅｓｓｉｎｇ  ｓｅｒｖｅｒ、ＰＳ）などの別の用語と呼ばれることもある。
【００２１】
基地局がサービスを提供するセル領域は、システム性能を改善するべく、複数個のより小さい領域に分割されてもよい。それぞれのより小さい領域は、セクター又はセグメントと呼ばれることがある。セル識別子（ＣｅｌｌＩ  ｄｅｎｔｉｔｙ；Ｃｅｌｌ＿ＩＤ又はＩＤＣｅｌｌ）は、全体システムを基準にして与えられるの対し、セクター又はセグメント識別子は、基地局がサービスを提供するセル領域を基準にして与えられる。端末は一般に無線通信システムに分布し、固定していたり、移動可能である。各端末は、任意の瞬間に上りリンク（Ｕｐｌｉｎｋ、ＵＬ）及び／又は下りリンク（Ｄｏｗｎｌｉｎｋ、ＤＬ）で一つ以上の基地局と通信できる。
【００２２】
本発明は、種々の多重ノードシステムに適用可能である。例えば、本発明の実施例は、分散アンテナシステム（ｄｉｓｔｒｉｂｕｔｅｄ  ａｎｔｅｎｎａ  ｓｙｓｔｅｍ、ＤＡＳ）、低電力（ｌｏｗ−ｐｏｗｅｒ）ＲＲＨを有するマクロノード、多重基地局協調システム、ピコ−／フェムト−セル協調システム、これらの組み合わせなどに適用可能である。多重ノードシステムにおいて、複数のノードと接続された一つ以上の基地局は、端末に同時に信号を伝送したり、当該端末から同時に信号を受信するように協調すればよい。
【００２３】
ＤＡＳは、任意の地理的領域（「セル」という）内に所定間隔で位置した複数のアンテナを管理する一基地局或いは一基地局制御器とケーブル又は専用回線を介して接続された複数の分散アンテナを通信に用いる。ＤＡＳにおいて各アンテナ或いは各アンテナグループは、本発明の多重ノードシステムの一ノードであってよく、ＤＡＳの各アンテナは、上記一基地局或いは一基地局制御器に設けられたアンテナのサブセットとして動作可能である。すなわち、ＤＡＳは多重ノードシステムの一種であり、分散アンテナ或いはアンテナグループは、多重アンテナシステムにおいてノードの一種である。ＤＡＳは、該ＤＡＳに設けられた複数のアンテナがセル内に一定間隔で位置するという点で、セルの中央に複数のアンテナが集中している中央集中型アンテナシステム（ｃｅｎｔｒａｌｉｚｅｄ  ａｎｔｅｎｎａ  ｓｙｓｔｅｍ、ＣＡＳ）と区別される。ＤＡＳは、分散アンテナ或いは分散アンテナグループにより管理されるものではなく、セル内に位置した全てのアンテナが当該セルの中心で一基地局或いは一基地局制御器により管理されるという点で、フェムト−／ピコ−セル協調システムとは異なる。また、ＤＡＳは、分散アンテナがケーブル或いは専用回線を介して互いに接続されるという点で、中継局（ｒｅｌａｙ  ｓｔａｔｉｏｎ、ＲＳ）と無線で接続される基地局を使用するリレーシステム或いはアドホック（ａｄ−ｈｏｃ）ネットワークとは異なる。また、ＤＡＳは、分散アンテナ或いは分散アンテナグループが基地局或いは基地局制御器の命令に応じて当該アンテナ或いはアンテナグループの近くに位置した端末に、他の分散アンテナ或いは分散アンテナグループとは異なる信号を伝送できるという点で、単純に信号を増幅して伝送するリピーター（ｒｅｐｅａｔｅｒ）と区別される。
【００２４】
多重基地局協調システム或いはフェムト−／ピコ−セル協調システムの各ノードは、独立した基地局として動作し、相互協調する。したがって、上記多重基地局協調システム或いはフェムト−／ピコ−セル協調システムの各基地局は、本発明の多重ノードシステムにおいてノードであってよい。多重基地局協調システム或いはフェムト−／ピコ−セル協調システムの多重ノードは、バックボーン網（ｂａｃｋｂｏｎｅ  ｎｅｔｗｏｒｋ）などを介して互いに接続され、スケジューリング及び／又はハンドオーバーを共に行うことによって協調伝送／受信を行う。このように、多数の基地局が協調伝送に参加するシステムをＣｏＭＰ（Ｃｏｏｒｄｉｎａｔｅｄ  Ｍｕｌｔｉ−Ｐｏｉｎｔ）システムとも呼ぶ。
【００２５】
ＤＡＳ、低電力ＲＲＨを有するマクロノード、多重基地局協調システム、フェムト−／ピコ−セル協調システムなどのような種々の多重ノードシステムの間には差異が存在する。しかし、これらは単一ノードシステム（例えば、ＣＡＳ、従来のＭＩＭＯシステム、従来の中継システム、従来のリピーターシステムなど）と異なり、複数のノードが協調して端末に通信サービスを提供するのに参加するので、本発明の実施例はそれら全て適用可能である。以下、説明の便宜のために、本発明は主にＤＡＳを例にして説明される。しかし、以下の説明は例示に過ぎず、ＤＡＳのアンテナ或いはアンテナグループは、他の多重ノードシステムのノードに該当してもよく、ＤＡＳの基地局は他の多重ノードシステムの一つ又はそれ以上の協調基地局に対応してもよいため、本発明は、他の多重ノードシステムにも同様の方式で適用可能である。
【００２６】
図１は、本発明が適用されるＤＡＳ構造の一例を示す図で、具体的には、従来のセルベースの多重アンテナを使用する中央集中型アンテナシステムにＤＡＳを適用する場合のシステム構造の一例を示している。
【００２７】
図１を参照すると、本発明の一実施例に係る基地局と隣接する領域に、セル半径に比べてアンテナ間隔が非常に小さいため経路損失などの効果が互いに類似な複数個の中央集中型アンテナ（Ｃｅｎｔｒａｌｉｚｅｄ  Ａｎｔｅｎｎａ、ＣＡ）が位置している。また、当該セル領域には所定距離以上の間隔で離れて位置しており、ＣＡに比べてアンテナ間隔が広いため経路損失などの効果がアンテナ別に異なる複数個の分散アンテナ（Ｄｉｓｔｒｉｂｕｔｅｄ  Ａｎｔｅｎｎａ、ＤＡ）が位置している。
【００２８】
ＤＡは、基地局から一つの有線で接続された一つ以上のアンテナで構成され、ＤＡＳ用アンテナノード（ｎｏｄｅ）又はアンテナノードと同じ意味で使われてもよい。一つ以上のＤＡは一つのＤＡグループを形成してＤＡゾーン（ｚｏｎｅ）を形成する。
【００２９】
ＤＡグループは、一つ以上のＤＡを含むもので、端末の位置又は受信状態などによって変動的に構成されてもよく、又はＭＩＭＯで使用する最大アンテナ個数で固定的に構成されてもよい。ＤＡグループは、アンテナグループと呼ばれることもある。ＤＡゾーンは、ＤＡグループを形成するアンテナが信号を伝送又は受信可能な範囲と定義され、同図のセル領域はｎ個のＤＡゾーンを含んでいる。ＤＡゾーンに属した端末は、ＤＡゾーンを構成するＤＡのいずれか一つ以上と通信を行うことができ、基地局は、ＤＡゾーンに属した端末へと信号伝送時に、ＤＡ及びＣＡを同時に用いて送信率を高めることができる。
【００３０】
図１は、既存の多重アンテナを使用するＣＡＳ構造において基地局と端末がＤＡＳを利用できるようにＤＡＳを含むＣＡＳを示す図であり、ＣＡとＤＡの位置は、説明の簡明さのために区分して示されているが、これに限定されるものではなく、具現形態によって様々な位置にしてもよい。
【００３１】
一方、基地局がサービスを提供するセル領域は、システム性能を改善するべく複数個のさらに小さい領域に分割されてもよい。それぞれのさらに小さい領域をセクター又はセグメントと呼ぶことができる。セル識別子（Ｃｅｌｌ  Ｉｄｅｎｔｉｔｙ；Ｃｅｌｌ＿ＩＤ又はＩＤＣｅｌｌ）は全体システムを基準にして与えられるが、セクター又はセグメント識別子は、基地局がサービスを提供するセル領域を基準にして与えられる。端末は一般に無線通信システムに分布しており、固定又は移動可能になっている。各端末は、任意の瞬間に上りリンク（Ｕｐｌｉｎｋ、ＵＬ）及び下りリンク（Ｄｏｗｎｌｉｎｋ、ＤＬ）で一つ以上の基地局と通信可能である。
【００３２】
図１は、既存の多重アンテナを使用するＣＡＳ構造において基地局と端末がＤＡＳを利用できるよう、ＤＡＳを含むＣＡＳを示す図であり、ＣＡとＤＡの位置は、説明の簡明さのために区分して示されているが、図１の例示に限定されず、具現形態によって様々な位置にしてもよい。
【００３３】
図１に示すように、各端末を支援するアンテナ或いはアンテナノードが限定されることがある。特に、下りリンクデータ伝送時に、同一の時間及び周波数リソースを介してアンテナ或いはアンテナノード別に異なるデータがそれぞれの端末のために伝送されることがある。これは、アンテナ或いはアンテナノード選択によりアンテナ或いはアンテナノードごとに異なるデータストリームを送る一種のＭＵ−ＭＩＭＯ動作と見なせばよい。
【００３４】
本発明で各アンテナ或いはアンテナノードはアンテナポートであってよい。アンテナポートは、１個の物理伝送アンテナ又は複数の物理伝送アンテナ要素の組み合わせにより具現される論理アンテナである。また、本発明において各アンテナ或いはアンテナノードは仮想アンテナであってもよい。ビームフォーミング技法でプリコーディングされた一つのビームにより伝送される信号は、まるで一つのアンテナにより伝送されたかのように認識されるが、プリコーディングされた形態のビームを伝送するこの一つのアンテナを仮想アンテナという。また、本発明において各アンテナ或いはアンテナノードは、参照信号（パイロット）により区別されてもよい。同一の参照信号或いは同一のパイロットを伝送する一つ又はそれ以上のアンテナを含むアンテナグループは、同一の参照信号或いはパイロットを伝送する一つ又はそれ以上のアンテナの集合を意味する。すなわち、本発明の各アンテナ或いはアンテナノードは、一物理アンテナ、一集合の物理アンテナ、一アンテナポート、一仮想アンテナ、又は一参照信号／パイロットに識別されるアンテナと解すればいい。後述する本発明の実施例においてアンテナ或いはアンテナノードは、一物理アンテナ、一集合の物理アンテナ、一アンテナポート、一仮想アンテナ、又は一参照信号／パイロットにより識別されるアンテナのいずれか一つを意味できる。以下では、一物理アンテナ、一集合の物理アンテナ、一アンテナポート、一仮想アンテナ、一参照信号／パイロットにより識別されるアンテナを、アンテナ或いはアンテナノードと総称して本発明を説明する。
【００３５】
図２を参照すると、３ＧＰＰ  ＬＴＥ／ＬＴＥ−Ａで用いられる無線フレーム構造は、１０ｍｓ（３２７２００Ｔｓ）の長さを有し、１０個の均等なサイズのサブフレームで構成される。それぞれのサブフレームは１ｍｓの長さを有し、２個のスロットで構成される。それぞれのスロットは０．５ｍｓの長さを有する。ここで、Ｔｓはサンプリング時間を表し、Ｔｓ＝１／（２０４８×１５ｋＨｚ）で表示される。スロットは、時間ドメインで複数のＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）シンボルを含み、周波数ドメインで複数のリソースブロック（ｒｅｓｏｕｒｃｅ  ｂｌｏｃｋ）を含む。リソースブロックは、周波数ドメインで複数の副搬送波を含む。ＯＦＤＭＡシンボルは、多重接続方式によって、ＯＦＤＭＡシンボル、ＳＣ−ＦＤＭＡシンボルなどと呼ばれることもある。１スロットに含まれるＯＦＤＭＡシンボルの数は、チャネル帯域幅、ＣＰ長によって様々に変更されてもよい。例えば、ノーマル（ｎｏｒｍａｌ）ＣＰでは１スロットが７個のＯＦＤＭＡシンボルを含むが、拡張（ｅｘｔｅｎｄｅｄ）ＣＰでは１スロットが６個のＯＦＤＭＡシンボルを含む。図２では、説明の便宜のために、１スロットが７個のＯＦＤＭＡシンボルで構成されるサブフレームを例示しているが、後述する本発明の実施例は、他のタイプのサブフレームにも同様の方式で適用可能である。参考として、３ＧＰＰ  ＬＴＥ／ＬＴＥ−Ａは、１個のＯＦＤＭＡシンボルと１個の副搬送波とで構成されたリソースをリソース要素（ｒｅｓｏｕｒｃｅ  ｅｌｅｍｅｎｔ、ＲＥ）と呼ぶこともある。
【００３６】
３ＧＰＰ  ＬＴＥ／ＬＴｅ−Ａにおいてそれぞれのサブフレームは制御領域とデータ領域とを含み、制御領域は、最初のＯＦＤＭＡシンボルから始まって一つ以上のＯＦＤＭＡシンボルを含む。制御領域のサイズはサブフレーム別に独立して設定されるとよい。参考として、制御領域には、ＰＤＣＣＨの他、ＰＣＦＩＣＨ、ＰＨＩＣＨ（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）などが割り当てられてもよい。
【００３７】
図２に示すように、制御情報は、無線リソースのうち、所定の時間及び周波数リソースを用いて端末に伝送される。制御チャネルでは、ＭＡＰ情報を含め、端末に関する制御情報の全てが併せて伝送され、各端末は、基地局が伝送する制御チャネルの中から自身の制御チャネルを探して受信する。このような制御チャネルが占有するリソースは、セル内の端末の数が多くなるほど増加するしかない。将来、機器間（ｍａｃｈｉｎｅ  ｔｏ  ｍａｃｈｉｎｅ、Ｍ２Ｍ）通信とＤＡＳが活性化し始まり、セル内の端末の数がより一層増えると、それら端末を支援するための制御チャネルも大きくならざるを得ない。すなわち、１サブフレームで制御チャネルが占有するＯＦＤＭＡシンボルの個数及び／又は１サブフレームで制御チャネルが占有する副搬送波の個数は増加せざるを得ない。そこで、本発明は、ＤＡＳの特性を用いて制御チャネルを效率よく活用するための方案を提供する。
【００３８】
ＣＡＳに基礎する現在の通信標準によれば、一基地局に属した全てのアンテナが当該基地局内の全ての端末への制御チャネル（例えば、ＭＡＰ、Ａ−ＭＡＰ、ＰＤＣＣＨなど）を制御領域で伝送する。各端末は、自身に割り当てられたアンテナノードに関する情報及び下り／上りリンクリソース割当情報のような制御情報を得るために、制御情報伝送のために約束された共通の領域である上記制御領域を処理し、自身の制御情報を得なければならない。例えば、ブラインドデコーディングなどの方式を応用して、制御領域で伝送された信号の中から自身の制御情報を得なければならない。
【００３９】
現在の通信標準に基づいて、アンテナ別に同一制御領域で全ての端末に関する制御情報を伝送すると、各アンテナは制御領域で同一の信号を伝送すればいいため、具現がし易いという利点がある。しかし、基地局がカバーすべき端末数の増加、ＭＵ−ＭＩＭＯ動作、ＤＡＳのための追加的な制御情報（例えば、端末に割り当てられたアンテナノード情報など）などの要因により、伝送されるべき制御情報の大きさが増加すると、制御チャネルのサイズ又は個数も増加し、既存の制御領域では全ての制御情報を伝送し難くなることがある。
【００４０】
図３は、３ＧＰＰシステムで用いられる上りリンクサブフレームの構造を例示する。
【００４１】
図３を参照すると、ＬＴＥ上りリンク伝送の基本単位である１ｍｓ長のサブフレーム５００は、２個の０．５ｍｓスロット５０１で構成される。ノーマルＣＰ（Ｎｏｒｍａｌ  Ｃｙｃｌｉｃ  Ｐｒｅｆｉｘ）の長さを仮定する時、各スロットは７個のシンボル５０２で構成され、１個のシンボルは１個のＳＣ−ＦＤＭＡシンボルに対応する。リソースブロック（Ｒｅｓｏｕｒｃｅ  Ｂｌｏｃｋ、ＲＢ）５０３は、周波数領域で１２個の副搬送波、及び時間領域で１個のスロットに該当するリソース割当単位である。ＬＴＥの上りリンクサブフレームの構造は、データ領域５０４と制御領域５０５とに大別される。データ領域は、各端末に伝送される音声、パケットなどのデータを送信するのに用いられる通信リソースを意味し、ＰＵＳＣＨ（Ｐｈｙｓｉｃａｌ  Ｕｐｌｉｎｋ  Ｓｈａｒｅｄ  Ｃｈａｎｎｅｌ）を含む。制御領域は、各端末から下りリンクチャネル品質報告、下りリンク信号に対する受信ＡＣＫ／ＮＡＣＫ、上りリンクスケジューリング要請などを伝送するのに用いられる通信リソースを意味し、ＰＵＣＣＨ（Ｐｈｙｓｉｃａｌ  Ｕｐｌｉｎｋ  Ｃｏｎｔｒｏｌ  Ｃｈａｎｎｅｌ）を含む。サウンディング参照信号（Ｓｏｕｎｄｉｎｇ  Ｒｅｆｅｒｅｎｃｅ  Ｓｉｇｎａｌ、ＳＲＳ）は、一つのサブフレームにおいて、時間軸上の末尾に位置するＳＣ−ＦＤＭＡシンボル、且つ周波数軸上のデータ伝送帯域を通じて伝送される。同一のサブフレームの末尾のＳＣ−ＦＤＭＡで伝送される複数の端末のＳＲＳは、周波数位置／シーケンスによって区別可能である。
【００４２】
以下、リソースブロックマッピングについて説明する。物理リソースブロック（Ｐｈｙｓｉｃａｌ  Ｒｅｓｏｕｒｃｅ  Ｂｌｏｃｋ、ＰＲＢ）と仮想リソースブロック（Ｖｉｒｔｕａｌ  Ｒｅｓｏｕｒｃｅ  Ｂｌｏｃｋ、ＶＲＢ）が定義される。物理リソースブロックは、図３で例示した通りである。すなわち、物理リソースブロックは、時間領域で所定個の連続したＯＦＤＭシンボルと周波数領域で所定個の連続した副搬送波とで定義される。物理リソースブロックは、周波数領域で０から始まって所定番号が与えられる。物理リソースブロック番号（）とスロットでのリソース要素との関係は、下記の式１の通りである。
【００４３】
【数１】
0005719087.tif 000002
【００４４】
ここで、ｋは、副搬送波インデックスを表し、ＮＲＢＳＣは、一つのリソースブロックに含まれた副搬送波の個数を表す。
【００４５】
仮想リソースブロックは、物理リソースブロックと同じサイズを有する。ローカルタイプ（ｌｏｃａｌｉｚｅｄ  ｔｙｐｅ）の仮想リソースブロック（Ｌｏｃａｌｉｚｅｄ  ＶＲＢ、ＬＶＲＢ）及び分散タイプ（ｄｉｓｔｒｉｂｕｔｅｄ  ｔｙｐｅ）の仮想リソースブロック（Ｄｉｓｔｒｉｂｕｔｅｄ  ＶＲＢ、ＤＶＲＢ）が定義される。仮想リソースブロックのタイプにかかわらず、サブフレームにおいて２つのスロットにわたって１対のリソースブロックが単一仮想リソースブロック番号（）をもって共に割り当てられる。
【００４６】
図４は、セルＩＤによるＰＣＦＩＣＨのリソースマッピング関係を例示する。
【００４７】
図４を参照すると、ＰＨＩＣＨは、物理Ｈ−ＡＲＱ指示子チャネルで、上り伝送に対するＨ−ＡＲＱＡＣＫ／ＮＡＣＫを運ぶのに用いられる。ＰＨＩＣＨは、３個のＲＥＧで構成され、セル特定（ｃｅｌｌ−ｓｐｅｃｉｆｉｃ）にスクランブリングされる。ＡＣＫ／ＮＡＣＫは、１ビットで指示され、ＳＦ（ｓｐｒｅａｄｉｎｇ  ｆａｃｔｏｒ）＝４で拡散され、３回反復される。複数のＰＨＩＣＨが同一のリソースにマッピングされてもよい。ＰＨＩＣＨはＢＰＳＫ（Ｂｉｎａｒｙ  ｐｈａｓｅ  ｓｈｉｆｔ  ｋｅｙｉｎｇ）で変調される。
【００４８】
ＰＤＣＣＨは物理下りリンク制御チャネルで、サブフレームの先頭のｎ  ＯＦＤＭシンボルに割り当てられる。ここで、ｎは１以上の整数で、ＰＣＦＩＣＨにより指示される。ＰＤＣＣＨは、ＣＣＥ単位で割り当てられ、１個のＣＣＥは９個のＲＥＧを含む。ＰＤＣＣＨは、伝送チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）のリソース割当と関連した情報、上りリンクスケジューリンググラント、Ｈ−ＡＲＱ情報などを知らせる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）はＰＤＳＣＨを介して伝送される。したがって、基地局と端末は、一般に、特定の制御信号又は特定のサービスデータ以外は、ＰＤＳＣＨでデータをそれぞれ送信及び受信する。ＰＤＳＣＨのデータがどの端末（一つ又は複数の端末）に伝送されるか、それらの端末がどのようにＰＤＳＣＨデータを受信しデコーディングをしなければならないかに関する情報などは、ＰＤＣＣＨに含まれて伝送される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスキング（ｍａｓｋｉｎｇ）されており、「Ｂ」という無線リソース（例えば、周波数位置）及び「Ｃ」という伝送形式情報（例えば、伝送ブロックサイズ、変調方式、コーディング情報など）を用いて伝送されるデータに関する情報が特定サブフレームで伝送されると仮定する。こうする場合、該当のセルにある一つ以上の端末は、自身が持っているＲＮＴＩ情報を用いてＰＤＣＣＨをモニタリングし、「Ａ」ＲＮＴＩを持っている一つ以上の端末があると、それらの端末はＰＤＣＣＨを受信し、受信したＰＤＣＣＨの情報を用いて「Ｂ」と「Ｃ」により指示されるＰＤＳＣＨを受信する。
【００４９】
図５は、下りリンクサブフレームに割り当てられる制御チャネルを表す。３ＧＰＰ  Ｒｅｌ−１１以上のシステムでは、性能改善のためにセル内の複数の接続ノードを備えた多重ノードシステムの導入を決定した（ここで、多重ノードシステムは、ＤＡＳ（Ｄｉｓｔｒｉｂｕｔｅｄ  Ａｎｔｅｎｎａ  Ｓｙｓｔｅｍ）、ＲＲＨ（Ｒａｄｉｏ  Ｒｅｍｏｔｅ  Ｈｅａｄ）、Ｍｕｌｔｉ−ｎｏｄｅ  ｓｙｓｔｅｍなどが含まれ、以下では、ＲＲＨと総称する）。また、既に開発中であるか、将来適用可能な様々なＭＩＭＯ技法と協調通信技法を多重ノード環境に適用するための標準化作業を進行している。基本的に、ＲＲＨ導入によって端末／基地局別協調方式などの様々な通信技法の適用が可能になり、リンク品質（ｌｉｎｋ  ｑｕａｌｉｔｙ）改善が予想されるが、前述した様々なＭＩＭＯ技法及び協調通信技法を多重ノード環境に適用するには新しい制御チャネルの導入が至急要望されている。この要望に応じて新たに導入が議論されている制御チャネルが、ｅ−ＰＤＣＣＨ（以下、ＲＲＨ−ＰＤＣＣＨ、ｘ−ＰＤＣＣＨなどを総称してｅ−ＰＤＣＣＨという）であり、割当位置としては、既存の制御領域（以下、ＰＤＣＣＨ領域という）ではなく、データ伝送（以下、ＰＤＳＣＨ領域という）領域が好まれている状況である。結論的にいえば、このようなｅ−ＰＤＣＣＨを用いて各端末別にノードに関する制御情報の伝送が可能となり、既存のＰＤＣＣＨ領域が不足する問題も解消することができる。
【００５０】
従来のＰＤＣＣＨは、一定領域内で送信ダイバーシティ（ｔｒａｎｓｍｉｔ  ｄｉｖｅｒｓｉｔｙ）を用いて伝送されただけで、ビームフォーミング（ｂｅａｍｆｏｒｍｉｎｇ）、ＭＵ−ＭＩＭＯ、最適帯域選択（ｂｅｓｔ  ｂａｎｄ  ｓｅｌｅｃｔｉｏｎ）などの、ＰＤＳＣＨのために用いられる様々な技法は適用されていなかった。この理由から、ＰＤＣＣＨはシステム性能においてボトルネック（ｂｏｔｔｌｅｎｅｃｋ）とされ、その改善が望まれてきた。また、システム性能の向上のために新たにＲＲＨ（ｒｅｍｏｔｅ  ｒａｄｉｏ  ｈｅａｄ）の導入が論議されている中、ＲＲＨのセル（ｃｅｌｌ）ＩＤが同じ場合にＰＤＣＣＨの容量不足を解消できる方案として新しいＰＤＣＣＨの必要性が台頭してきた。このように新たに導入されるＰＤＣＣＨを、既存ＰＤＣＣＨとの区別のためにｅ−ＰＤＣＣＨと称する。本発明は、ｅ−ＰＤＣＣＨがＰＤＳＣＨ領域内に位置する場合を想定して述べられる。すなわち、Ｅ−ＰＤＣＣＨ及びＥ−ＰＤＣＣＨに対応するＰＤＳＣＨは、既存のサブフレーム構造において制御領域で制御情報を伝送すべき構造から脱皮し、データ領域で制御情報を伝送できるという構造的な特徴を有する。
【００５１】
図５を参照すると、サブフレームは、１４個のＯＦＤＭシンボルで構成されている。サブフレームにおいて先頭３個のＯＦＤＭシンボルは制御領域として用いられ、残り１１個のＯＦＤＭシンボルはデータ領域として用いられる。図５で、Ｒ１〜Ｒ４は、アンテナ０〜３に対するＣＲＳを表す。ＣＲＳは、制御領域及びデータ領域にかかわらず、サブフレーム内に一定のパターンで固定される。制御チャネルは、制御領域においてＣＲＳが割り当てられていないリソースに割り当てられ、トラフィックチャネルも、データ領域においてＣＲＳが割り当てられていないリソースに割り当てられる。制御領域に割り当てられる制御チャネルには、ＰＣＦＩＣＨ、ＰＨＩＣＨ、ＰＤＣＣＨなどがある。
【００５２】
ＰＣＦＩＣＨは、物理制御フォーマット指示子チャネルで、毎サブフレームごとにＰＤＣＣＨに用いられるＯＦＤＭシンボルの個数を端末に知らせる。ＰＣＦＩＣＨは、最初のＯＦＤＭシンボルに位置する。ＰＣＦＩＣＨは４個のＲＥＧで構成され、それぞれのＲＥＧは、セルＩＤに基づいて制御領域内に分散される。１個のＲＥＧは４個のＲＥで構成される。ＲＥＧの構造は、図４を参照して上述した通りである。ＰＣＦＩＣＨは、１〜３の値を指示し、１６  ＱＰＳＫ（Ｑｕａｄｒａｔｕｒｅ  Ｐｈａｓｅ  Ｓｈｉｆｔ  Ｋｅｙｉｎｇ）で変調される。
【００５３】
図６は、Ｅ−ＰＤＣＣＨを用いたリソース割当の一例である。
【００５４】
図６を参照すると、ｅ−ＰＤＣＣＨは、一般に、データを伝送するＰＤＳＣＨ領域の一部分を定義して使用すればよく、端末は、自身のＥ−ＰＤＣＣＨの有無を検出するためのブラインドデコーディング（ｂｌｉｎｄ  ｄｅｃｏｄｉｎｇ）過程を行わなければならない。ｅ−ＰＤＣＣＨを検出するための最小限の領域情報は、あらかじめＰＤＣＣＨ或いはＰＣＦＩＣＨなどを新しく定義して知らせるとよい。Ｅ−ＰＤＣＣＨは、既存のＰＤＣＣＨと同じスケジューリング動作（ＰＤＳＣＨ、ＰＵＳＣＨ制御）を行うが、ＲＲＨ接続端末の増加によりＰＤＳＣＨ領域中に割り当てられるｅ−ＰＤＣＣＨが増えるほどブラインドデコーディング数も増加し、端末の複雑度が高まるという不具合がある。
【００５５】
図７は、ＦＤＤシステムにおいてリレーのためのＲ−ＰＤＣＣＨの割当構造である。ｅ−ＰＤＣＣＨの具体的な割当方式においては既存のＲ−ＰＤＣＣＨ構造を再使用しようとする接近方式がある。すなわち、ｅ−ＰＤＣＣＨはＲ−ＰＤＣＣＨを継承する構造である。これは、既に作られた構造を再利用することで、既存標準へのインパクト（ｉｍｐａｃｔ）を相対的に小さくできるという利点がある。既存のＲ−ＰＤＣＣＨは、既存ＲＢの第１スロット（ｓｌｏｔ）には必ずダウンリンク（ＤＬ）グラント（ｇｒａｎｔ）のみが割り当てられ、第２スロット（ｓｌｏｔ）には上りリンク（ＵＬ）グラント（ｇｒａｎｔ）又はデータＰＤＳＣＨが割り当てられる。しかし、ＤＬグラントが先にデコーディングされなければならないという不具合がある。このとき、ＰＤＣＣＨ領域、ＣＲＳ、ＤＭＲＳ（ＤＥ−Ｍｏｄｕｌａｔｉｏｎ  Ｒｅｆｅｒｅｎｃｅ  Ｓｉｇｎａｌ）の全てを除外したＲＥにＲ−ＰＤＣＣＨを割り当てる。表１のように、Ｒ−ＰＤＣＣＨ復調にはＤＭ−ＲＳ、ＣＲＳが全て用いられることがあり、ＤＭ−ＲＳを用いる場合は、ポート７とスクランブリングＩＤ（ＳＣｒａｍｂｌｉｎｇ  ＩＤ、ＳＣＩＤ）＝０を使用する。一方、セル特定参照信号（ＣＲＳ：Ｃｅｌｌ−ｓｐｅｃｉｆｉｃ  Ｒｅｆｅｒｅｎｃｅ  Ｓｉｇｎａｌ）を使用する場合は、ＰＢＣＨ伝送アンテナが１個である場合にのみポート０を使用し、ＰＢＣＨ伝送アンテナが２個、４個である場合には、伝送（Ｔｘ）ダイバーシティ（ｄｉｖｅｒｓｉｔｙ）モードに切り替わり、ポート０〜１、ポート０〜３が全て用いられる。
【００５６】
【表１】
0005719087.tif 000003
【００５７】
Ｒ−ＰＤＣＣＨ構造の場合、スロットを分け、第１スロットにはダウンリンクグラント、第２スロットには上りリンクグラントを割り当て、制御チャネルを第１スロットに割り当てるようになる。すなわち、ダウンリンク制御チャネルであるＲ−ＰＤＣＣＨは、第１スロットにのみ割り当てられるピュア（Ｐｕｒｅ）ＦＤＭ構造である。しかし、現在議論中にあるＥ−ＰＤＣＣＨ割当は、一つのスロットに制限されず、全体（ｆｕｌｌ）ＦＤＭ構造にしようとしている。
【００５８】
既存システムにおいて各セルのＰＤＳＣＨの開始位置は、各セルのＰＤＣＣＨ領域サイズによって異なることがあり、これは、上位層シグナリング（ｈｉｇｈｅｒ  ｌａｙｅｒ  ｓｉｇｎａｌｌｉｎｇ）により、又はＰＣＦＩＣＨのＣＦＩを読むことによって端末が知る。しかし、マクロ（Ｍａｃｒｏ）ｅＮＢとＲＲＨで構成されたセル内では、ＲＲＨの端末がＰＤＣＣＨ領域の一部又は全部のリソースを介して伝送されたＰＤＳＣＨを受信してもよい。このようなリソース運営方法は、ＰＤＣＣＨを受信すべき端末がＲＲＨカバレッジ（ｃｏｖｅｒａｇｅ）内に存在しない時に可能である。
【００５９】
したがって、本発明は、ＰＤＣＣＨ領域内でＰＤＳＣＨを受信するために必要なシグナリング（ｓｉｇｎａｌｌｉｎｇ）について下記のように提案する。
【００６０】
多重ノード環境に適用するための新しい制御チャネルの導入が至急に要望されており、よって、各端末別にノードに関する制御情報の伝送を可能にするために、ＰＤＣＣＨの容量不足を解消できる方案を提示する。したがって、既存３ＧＰＰ  ＬＴＥ／ＬＴＥ−Ａ標準に基づいて動作するレガシー（ｌｅｇａｃｙ）端末の分布を考慮し、ＰＤＣＣＨ領域内に各端末に対する制御チャネル領域を全て割り当てることは難しいという問題点を解決しようとする。ＰＤＣＣＨ領域が足りないので、ＰＤＳＣＨ領域内にｅ−ＰＤＣＣＨを割り当てようとする。このとき、各ＲＲＨに適用されるｅ−ＰＤＣＣＨ領域はＰＤＳＣＨ領域に移されるので、ＰＤＣＣＨ領域に割り当てられる制御情報が減るようになる。したがって、ＰＤＳＣＨ領域をより幅広く利用するべく、既存のＣＦＩによるＰＤＣＣＨ領域の一部にＰＤＳＣＨを割り当てるための、下記のような方案を提案する。
【００６１】
第１方案は、既存のＣＦＩの利用、及び別個のＣＦＩ（以下、ＣＦＩ２という。）受信により、ＰＤＳＣＨ領域のリソース割当情報を受信するように設定可能である。既存のＣＦＩは、ＰＣＦＩＣＨを介して伝送可能であるが、ＰＤＳＣＨ伝送のためのＣＦＩ２は別にシグナリングして設定すればよい。
【００６２】
図８は、本発明のＣＦＩとＣＦＩ２設定による、ＰＤＣＣＨの一部領域内でのＰＤＳＣＨ伝送の実施例を示す図である。
【００６３】
図８を参照すると、端末は、ＰＣＦＩＣＨのＣＦＩとは別個のＣＦＩ（以下、ＣＦＩ２という）を受信する。ＰＤＣＣＨ（Ｐｈｙｓｉｃａｌ  Ｄｏｗｎｌｉｎｋ  Ｃｏｎｔｒｏｌ  Ｃｈａｎｎｅｌ）伝送に利用可能なＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの個数を指示するＣＦＩをそのまま利用してもよく、Ｅ−ＰＤＣＣＨ（ｅｎｈａｎｃｅｄ  Ｐｈｙｓｉｃａｌ  Ｄａｔａ  Ｃｏｎｔｒｏｌ  Ｃｈａｎｎｅｌ）に対応するＰＤＳＣＨ（Ｐｈｙｓｉｃａｌ  Ｄｏｗｎｌｉｎｋ  Ｓｈａｒｅｄ  Ｃｈａｎｎｅｌ）伝送に利用可能な開始ＯＦＤＭシンボル情報を指示するＣＦＩ２を別に設定してもよい。
【００６４】
既存端末は、サブフレームの最初のシンボルに位置したＰＤＣＣＨ伝送に利用可能なＯＦＤＭシンボルの個数を意味するＣＦＩを受信する。換言すれば、一般の既存端末にとって、ＣＦＩはＰＤＳＣＨのＯＦＤＭシンボルの開始情報を意味する。
【００６５】
例えば、ＣＦＩが「１」であれば、ＰＤＳＣＨは２番目のＯＦＤＭシンボルから開始することを意味し、ＣＦＩが「２」であれば、ＰＤＳＣＨは３番目のＯＦＤＭシンボルから開始することを意味する。したがって、既存端末がＰＤＳＣＨを受信するために必ず知るべき情報の一つがＣＦＩである。
【００６６】
しかし、本発明で提案する通り、ＰＤＣＣＨ領域内でＰＤＳＣＨを受信可能にするためには、ＣＦＩとは別個のＣＦＩ２を受信しなければならない。ＣＦＩ２は、ＰＤＳＣＨの開始（ｓｔａｒｔｉｎｇ）ＯＦＤＭシンボル（ｓｙｍｂｏｌ）を決定するパラメータで、ＰＤＳＣＨの開始ＯＦＤＭシンボルを直接表してもよく、当該ＰＤＳＣＨによって減ったＰＤＣＣＨ領域のＤＣＩのスパン（ｓｐａｎ  ｏｆ  ＤＣＩ）を表してもよい。すなわち、ＣＦＩが表すＤＣＩのスパンに比べて幾つのＯＦＤＭシンボルが減るかを指示してもよい。したがって、ＣＦＩとＣＦＩ２とが同一か否かによって、ＣＦＩ情報がＰＤＳＣＨのＯＦＤＭシンボルの開始情報を意味しない場合もある。
【００６７】
ＣＦＩ２は、ＣＦＩが表すＤＣＩのスパンに比べて幾つのＯＦＤＭシンボルが減るかを表すのではなく、ＣＦＩと独立して設定されてもよい。したがって、ＣＦＩ２が表す開始ＯＦＤＭシンボルは、極端的には最初のＯＦＤＭシンボルになったり、ＣＦＩが表すＯＦＤＭシンボルよりも先に設定されることもある。すなわち、Ｅ−ＰＤＣＣＨに対応するＰＤＳＣＨ伝送に利用可能な開始ＯＦＤＭシンボルは、ＣＦＩが表すＯＦＤＭシンボルよりも前となることがある。例えば、ＣＦＩは３番目のＯＦＤＭシンボル、ＣＦＩ２は最初のＯＦＤＭシンボルを表すように設定されることもある。したがって、ＣＦＩ２は、既存のＣＦＩとは別個に、最初のＯＦＤＭシンボルから自由にシステムの決定によってＯＦＤＭシンボル開始情報を表すことができる。
【００６８】
したがって、端末はＣＦＩとＣＦＩ２の両方を受信する場合もあり、いずれか一方のみを受信する場合もある。端末がＰＤＣＣＨ領域の制御チャネルを読み、ｅ−ＰＤＣＣＨも読む場合は、ＰＤＣＣＨ伝送に利用可能なＯＦＤＭシンボルの個数を指示するＣＦＩ、及びＥ−ＰＤＣＣＨに対応するＰＤＳＣＨ伝送に利用可能な開始ＯＦＤＭシンボル情報を指示するＣＦＩ２の両方を受信しなければならない。又は、端末がＥ−ＰＤＣＣＨのみを読んでも、Ｅ−ＰＤＣＣＨの開始ＯＦＤＭシンボルがＰＤＣＣＨ領域のサイズによって変わる場合には、ＣＦＩ２はＣＦＩを基準にしてＣＦＩの減ったシンボル数を表すので、ＣＦＩとＣＦＩ２の両方を受信しなければならない。一方、ＰＤＣＣＨ領域の情報は読まず、開始シンボル（ｓｔａｒｔ  ｓｙｍｂｏｌ）が固定されたＥ−ＰＤＣＣＨのみを読む端末は、ＣＦＩ２のみを受信すればいい。このとき、ＣＦＩ２はＣＦＩに比べてＯＦＤＭシンボルインデックスが小さい。すなわち、ＣＦＩ２を用いて既存のＰＤＣＣＨ領域にＰＤＳＣＨ領域を割り当てることによって、既存のＰＤＣＣＨ領域が不足するという問題を解決できる。ＰＤＣＣＨ領域にＰＤＳＣＨを割り当てる場合に、図１を参照すると、ＣＡＳに基づく現在の通信標準によれば、一基地局に属した全てのアンテナが、当該基地局のセルに属した全ての端末に対する制御チャネルをＰＤＣＣＨ領域で伝送する。本発明によれば、制御チャネル領域であるＰＤＣＣＨ領域にＰＤＳＣＨを割り当てることが可能である。この場合、ＰＤＣＣＨ領域に割り当てられた、ＲＲＨ端末でない端末、例えば、休止状態の端末のための又は一般的な制御情報が、Ｅ−ＰＤＣＣＨに対応するＰＤＳＣＨ伝送による干渉によって損失することがある。ただし、基地局は端末に制御情報のＤＭＲＳを伝送でき、各端末でプリコーディングによってビームゲインを調節することで、基地局からビームフォーミングの影響を減らすことができる。すなわち、コンボリューションコードを用いてビームゲインを調節し、他のアンテナによるビームフォーミングの影響を減少させることができる。また、ＰＤＣＣＨの一部領域にＰＤＳＣＨが割り当てられても、ＰＤＣＣＨ領域の１２個のシンボルのうち１〜２個のシンボルにしか影響を与えず、ＰＤＣＣＨにＰＤＳＣＨを割り当てることはあまり問題とならない。
【００６９】
したがって、本発明は、ＣＦＩ及びＣＦＩ２によってＰＤＳＣＨ領域を決定し、第１のＣＦＩ情報又は第２のＣＦＩ情報に基づいてＰＤＳＣＨを基地局から受信する方法を提供しようとする。
【００７０】
本発明において、端末にＣＦＩ２を伝送できる方法には大きく２種類がある。上位層シグナリング（ｈｉｇｈｅｒ  ｌａｙｅｒ  ｓｉｇｎａｌｌｉｎｇ）、例えば、ＲＲＣシグナリング（ｓｉｇｎａｌｌｉｎｇ）によりＣＦＩ２を伝送する方法と、ｅ−ＰＤＣＣＨのコンテンツ（ｃｏｎｔｅｎｔｓ）内にＣＦＩ２フィールドを挿入する方法がある。上位層シグナリングにより端末にＣＦＩ２を伝送する方法は、既存の物理層に追加のパラメータ付加や変更作業を行う必要がない。一方、ｅ−ＰＤＣＣＨを用いてＣＦＩ２を知らせる方法は、端末にダイナミック（ｄｙｎａｍｉｃ）なＰＤＣＣＨ又はＰＤＳＣＨ領域の変更事項を直ちに反映可能である。又は、ＣＦＩ２は、既存のＰＣＦＩＣＨで伝送されるＣＦＩと同じ値を有してもよい。ＣＦＩが固定した値であると、例えば、Ｅ−ＰＤＣＣＨに対応するＰＤＳＣＨの開始シンボルが固定していると、ｅ−ＰＤＣＣＨのコンテンツ内にＣＦＩ２フィールドを挿入する方法を利用すればよい。
【００７１】
第２方案は、ＣＦＩ及びＣＦＩ２を考慮して、ＰＤＣＣＨ領域内でＰＤＳＣＨ伝送がなされる環境を特定しようとする。すなわち、第１方案の適用が可能な特定範囲を提案する。
【００７２】
１フレーム（ｆｒａｍｅ）内の１０個のサブフレーム（ｓｕｂｆｒａｍｅ）＃０〜＃９の中には、位置把握がされない端末のための制御チャネルがＰＤＣＣＨ領域で伝送されるなどの特徴を有する一部サブフレームが存在する。例えば、サブフレーム｛＃０、＃４、＃５、＃９｝はページング（ｐａｇｉｎｇ）チャネル伝送に用いられる。ページングチャネルに関する情報がデータチャネルで伝送され、共用サーチスペース（ｃｏｍｍｏｎ  ｓｅａｒｃｈ  ｓｐａｃｅ）領域で共用の情報が伝送される。本発明において各端末は同一のセルＩＤを有すると仮定し、ＰＤＣＣＨ領域でＣ−ＲＮＴＩ（ｃｅｌｌ−Ｒａｄｉｏ  Ｎｅｔｗｏｒｋ  Ｔｅｍｐｏｒａｒｙ  Ｉｄｅｎｔｉｔｙ）一つを用いて各端末の制御信号がスクランブリングされて伝送される。この場合、ページングチャネルを利用する端末の制御信号を保護するべく、第１発案を適用しない。すなわち、基地局は、データ伝送のためにＣＦＩ２によるＰＤＳＣＨ領域の割当を行わず、ＰＤＣＣＨ領域が変更されないようにするべく既存のＣＦＩ値のみを利用する。又は、端末がＣＦＩ２を無視し、ＣＦＩのみを用いて、割り当てられたＲＥ情報を得る。ページングチャネルの受信端末は休止モード（ｉｄｌｅ  ｍｏｄｅ）にあるため位置把握ができず、ＰＤＣＣＨ領域でその他端末のＰＤＳＣＨを伝送できない。このように、位置把握がされない端末のための制御チャネルがＰＤＣＣＨ領域で伝送されるなどの特徴を有する一部サブフレームでは、ＣＦＩ２で指示されるＰＤＳＣＨの開始ＯＦＤＭシンボルが、ＣＦＩで指示されるＰＤＳＣＨの開始ＯＦＤＭシンボルと同一でなければならず、そうでない場合は、端末がＣＦＩ２を無視するようにする。換言すれば、ページングチャネルを受信する端末である休止状態の端末のための制御チャネルが伝送されるなどの特徴を有する一部サブフレームでは、ＣＦＩ２を適用せず、ＣＦＩのみを適用してＰＤＳＣＨを当該基地局から受信する。第２方案が適用される場合、基地局と端末がこのような動作を取るべきサブフレームは、上記の例の通り、特定サブフレームと固定されていてもよく、上位層シグナリングにより端末に指示されてもよい。
【００７３】
図９及び図１０は、本発明のＰＤＳＣＨのＲＥマッピング（ｍａｐｐｉｎｇ）の一実施例を示す図である。
【００７４】
図９を参照すると、ＰＤＳＣＨがＲＥマッピングされる時、ＰＤＳＣＨ領域内の割り当てられたリソースに既存方式のままマッピングされた後、ＰＤＣＣＨ領域内の割り当てられたリソースにマッピングされる。ＲＥマッピングは、割り当てられたリソース領域の最初のＯＦＤＭシンボルから周波数軸に沿って行われ、その次のＯＦＤＭシンボルに移って同一のＲＥマッピングを反復する。例えば、図９に示すように、ＯＦＤＭシンボルインデックス３から１３までＰＤＳＣＨがＲＥマッピングされ、ＯＦＤＭシンボルインデックス２にＲＥマッピングが行われる。すなわち、既存ＣＦＩ値によるＰＤＳＣＨ領域からＲＥマッピングを行い、ＣＦＩ値がＣＦＩ２値と同一でない場合に、循環（Ｃｉｒｃｕｌａｒ）方式でＣＦＩ２によるＰＤＳＣＨ領域の開始位置からＲＥマッピングをさらに行う。したがって、図９によるマッピングを行うと、既存バッファー（ｂｕｆｆｅｒ）をそのまま利用することができる。
【００７５】
図１０を参照すると、ＰＤＳＣＨをＲＥマッピングする時、ＰＤＣＣＨ領域内の開始シンボルから順に既存のＰＤＳＣＨ領域内のＲＥマッピングを行う。ＲＥマッピングは、割り当てられたリソース領域の最初のＯＦＤＭシンボルから周波数軸に沿って行われ、その次のＯＦＤＭシンボルに移って同一のＲＥマッピングを反復する。
【００７６】
したがって、本発明のＰＤＳＣＨのＲＥマッピングは、図９に示すように、既存ＣＦＩによってマッピングされた後（１）、ＣＦＩ２による開始ＯＦＤＭシンボル位置から再びマッピング（２）されてよい。又は、本発明は、図１０に示すように、ＣＦＩ２による開始ＯＦＤＭシンボル位置からマッピングされてもよい。図９及び図１０に示すマッピング規則（ｒｕｌｅ）は、干渉などの性能面では違いがなく、基地局の選択による。
【００７７】
端末は既にＣＦＩ又はＣＦＩ２によるＰＤＳＣＨ領域の開始位置を認知しており、図９と図１０のマッピング規則に従うマッピングされたＲＥ情報を基地局から受信する。
【００７８】
図１１は、本発明に一実施例に適用可能な基地局及び端末を例示する。
【００７９】
端末は、上りリンクでは送信装置として動作し、下りリンクでは受信装置として動作する。これと逆に、基地局は上りリンクでは受信装置として動作し、下りリンクでは送信装置として動作可能である。
【００８０】
図１１を参照すると、無線通信システムは、基地局（ＢＳ）１１０及び端末（ＵＥ）１２０を含む。基地局１１０は、プロセッサ１１２、メモリー１１４及び無線周波数（Ｒａｄｉｏ  Ｆｒｅｑｕｅｎｃｙ、ＲＦ）ユニット１１６を備える。プロセッサ１１２は、本発明で提案した手順及び／又は方法を具現するように構成されるとよい。プロセッサ１１２は、ＰＤＣＣＨ伝送に利用可能なＯＦＤＭシンボルの個数を指示する第１のＣＦＩ情報を端末に送信するように無線周波数ユニットを制御すればよい。又は、プロセッサ１１２は、Ｅ−ＰＤＣＣＨに対応するＰＤＳＣＨ伝送に利用可能な開始ＯＦＤＭシンボル情報を指示する第２のＣＦＩ情報を端末に送信するように無線周波数ユニットを制御してもよい。又は、プロセッサ１１２は、第１のＣＦＩ情報及び第２のＣＦＩ情報を用いて、ＰＤＳＣＨを端末に送信するように無線周波数ユニットを制御するように構成されてもよい。ここで、ＰＤＣＣＨは、下りリンクサブフレームのＰＤＣＣＨ領域に位置し、Ｅ−ＰＤＣＣＨは下りリンクサブフレームのＰＤＳＣＨ領域に位置可能である。又は、プロセッサ１１２は、第１のＣＦＩ情報がＲＲＣ（Ｒａｄｉｏ  Ｒｅｓｏｕｒｃｅ  Ｃｏｎｔｒｏｌ）シグナリングにより端末に伝送されるように無線周波数ユニットを制御し、第２のＣＦＩ情報が端末にＲＲＣシグナリングにより伝送されるか、又はＥ−ＰＤＣＣＨに含まれて伝送されるように無線周波数ユニットを制御するように構成されてもよい。又は、プロセッサ１１２は、休止状態の端末のための制御チャネルが伝送されるサブフレームである場合、第１のＣＦＩ情報のみに基づいてＰＤＳＣＨを端末に伝送するように無線周波数ユニットを制御するように構成されてもよい。ここで、第２のＣＦＩ情報は、第１のＣＦＩ情報に比べて相対的に減ったＯＦＤＭシンボルの個数を表す。メモリー１１４は、プロセッサ１１２と接続され、プロセッサ１１２の動作に関連した様々な情報を保存する。ＲＦユニット１１６は、プロセッサ１１２と接続され、無線信号を送信及び／又は受信する。端末１２０は、プロセッサ１２２、メモリー１２４及びＲＦユニット１２６を含む。プロセッサ１２２は、本発明で提案した手順及び／又は方法を具現するように構成されるとよい。プロセッサ１２２は、ＰＤＣＣＨ伝送に利用可能なＯＦＤＭシンボルの個数を指示する第１のＣＦＩ情報を基地局から受信するようにＲＦユニット１２６を制御してよい。又は、プロセッサ１２２は、Ｅ−ＰＤＣＣＨに対応するＰＤＳＣＨ伝送に利用可能な開始ＯＦＤＭシンボル情報を指示する第２のＣＦＩ情報を基地局から受信するようにＲＦユニット１２６を制御してもよい。又は、プロセッサ１２２は、第１のＣＦＩ情報又は第２のＣＦＩ情報に基づいてＰＤＳＣＨを基地局から受信するように無線周波数ユニットを制御するように構成されてもよい。プロセッサ１２２は、第１のＣＦＩ情報をＲＲＣシグナリングにより基地局から受信するように無線周波数ユニットを制御し、第２のＣＦＩ情報を基地局からＲＲＣシグナリングにより受信するか、又はＥ−ＰＤＣＣＨに含まれて受信するように無線周波数ユニットを制御するように構成されてもよい。又は、プロセッサ１２２は、休止状態の端末のための制御チャネルが伝送されるサブフレームである場合、第１のＣＦＩ情報のみに基づいてＰＤＳＣＨを基地局から受信するように無線周波数ユニットを制御するように構成されてもよい。メモリー１２４は、プロセッサ１２２と接続され、プロセッサ１２２の動作に関連した様々な情報を保存する。ＲＦユニット１２６は、プロセッサ１２２と接続され、無線信号を送信及び／又は受信する。基地局１１０及び／又は端末１２０は、単一アンテナ又は多重アンテナを有する。
【００８１】
以上説明してきた実施例は、本発明の構成要素及び特徴が所定の形態に結合されたものである。各構成要素又は特徴は、別の明示的な言及がない限り、選択的なものとして考慮されるべきである。各構成要素又は特徴は、他の構成要素や特徴と結合されない形態で実施されてもよく、一部の構成要素及び／又は特徴が結合されて本発明の実施例を構成してもよい。本発明の実施例で説明される動作の順序は変更されてもよい。ある実施例の一部構成や特徴は、別の実施例に含まれてもよく、別の実施例の対応する構成又は特徴に取って代わってもよい。特許請求の範囲において明示的な引用関係にない請求項を結合して実施例を構成したり、出願後の補正により新しい請求項として含めたりできることは明らかである。
【００８２】
本発明に係る実施例は、様々な手段、例えば、ハードウェア、ファームウェア（ｆｉｒｍｗａｒｅ）、ソフトウェア又はそれらの結合などにより具現可能である。ハードウェアによる具現の場合に、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現されるとよい。
【００８３】
ファームウェアやソフトウェアによる具現の場合に、本発明の一実施例は、以上で説明された機能又は動作を行うモジュール、手順、関数などの形態で具現されてもよい。ソフトウェアコードは、メモリユニットに記憶されて、プロセッサにより駆動されるとよい。メモリユニットは、プロセッサの内部又は外部に設けられ、既に公知の様々な手段によりプロセッサとデータを交換すればよい。
【００８４】
本発明は、本発明の特徴から逸脱しない範囲で別の特定の形態に具体化されてもよいことが当業者にとっては自明である。したがって、上記の詳細な説明は、いずれの面においても制限的に解釈されてはならず、例示的なものとして考慮されなければならない。本発明の範囲は、添付の請求項の合理的な解釈により決定すべきであり、本発明の等価的範囲内における変更はいずれも本発明の範囲に含まれる。
【産業上の利用可能性】
【００８５】
本発明は、無線移動通信システムの端末機、基地局、又はその他の装備に利用可能である。具体的に、本発明は、複数のノードを介して端末に通信サービスを提供する多重ノードシステムで利用可能である。
【図１】
0005719087.tif 000004
【図２】
0005719087.tif 000005
【図３】
0005719087.tif 000006
【図４】
0005719087.tif 000007
【図５】
0005719087.tif 000008
【図６】
0005719087.tif 000009
【図７】
0005719087.tif 000010
【図８】
0005719087.tif 000011
【図９】
0005719087.tif 000012
【図１０】
0005719087.tif 000013
【図１１】
0005719087.tif 000014